(57)【特許請求の範囲】
【請求項１】
縦材と横材とが矩形に組まれた枠体と、この枠体の少なくとも一方のパネル面に貼り付けられる面材と、前記枠体の角部の内側に固定される補強金物と、を含み、
前記補強金物は、厚肉の板材からなる第一の金物と、薄肉の板材からなる第二の金物と、を含み、
前記第一の金物は、前記横材を介して構造体に連結される第一の固定部と、この第一の固定部から屈曲して前記面材と平行に立ち上がる第一の接続部と、が一体的に形成されてなり、
前記第二の金物は、前記第一の固定部の端部に接合固定されるとともに前記縦材に固定される第二の固定部と、この第二の固定部から屈曲して前記面材と平行に立ち上がり前記第一の接続部と重ねられて接合固定される第二の接続部と、が一体的に形成されてなることを特徴とする壁パネル。
【請求項２】
請求項１記載の壁パネルにおいて、
前記第一及び第二の固定部は、前記枠体の厚みよりも狭い幅で形成されることを特徴とする壁パネル。
【請求項３】
請求項１又は請求項２記載の壁パネルにおいて、
前記第一又は第二の接続部は、前記面材に接着固定されることを特徴とする壁パネル。
【請求項４】
縦材と横材とが矩形に組まれた枠体と、この枠体の少なくとも一方のパネル面に貼り付けられる面材と、前記枠体の角部の内側に固定される補強金物と、を含む壁パネルが、アンカーボルトによって基礎に連結されてなる耐力壁であって、
前記補強金物は、厚肉の板材からなる第一の金物と、薄肉の板材からなる第二の金物と、を含み、
前記第一の金物は、前記アンカーボルトが貫通して前記横材を介して前記基礎に連結される第一の固定部と、この第一の固定部から屈曲して前記面材と平行に立ち上がる第一の接続部と、が一体的に形成されてなり、
前記第二の金物は、前記第一の固定部の端部に接合されるとともに前記縦材に固定される第二の固定部と、この第二の固定部から屈曲して前記面材と平行に立ち上がり前記第一の接続部と重ねられて接合される第二の接続部と、が一体的に形成されてなることを特徴とする耐力壁。
【請求項５】
請求項４記載の耐力壁において、
前記第一又は第二の接続部は、前記面材に接着固定されることを特徴とする耐力壁。
【発明の詳細な説明】
【０００１】
【発明の属する技術分野】
本発明は、粘りがあって壊れにくい壁パネル及び耐力壁に関する。
【０００２】
【背景技術及び発明が解決しようとする課題】
パネル工法やツーバイフォー工法においては、基礎や床体等とこれらの上に積み重ねられた耐力壁とが、アンカーボルトや胴差しボルト等で緊結されて、建物躯体が構築される。また、これらの工法では、木質の枠組材と面材とで耐力壁が構築され、このような耐力壁は、面材によって水平方向の力に対抗し、耐震性を確保できるようになっている（特開平８−１２０８２３号）。
【０００３】
ここで、アンカーボルト等は、専らパネル等の枠組みの横材と基礎等とを連結固定し、縦材を固定しない。これは、縦材を固定しなくても所定の耐力を得ることができるためである。
【０００４】
ところで、実験によれば、耐力壁に限界を超える大きな水平荷重が加えられると、縦材と横材の接合部が破損したり、アンカーボルト等で固定された部分で横材が破損したりして、これが耐力壁全体に影響を及ぼすことがわかった。
【０００５】
本発明は、上記課題に鑑みてなされたものであり、その目的は、粘りがあって壊れにくい壁パネル及び耐力壁を提供することにある。
【０００６】
【課題を解決するための手段】
上記課題を解決するため、請求項１記載の発明は、縦材と横材とが矩形に組まれた枠体と、この枠体の少なくとも一方のパネル面に貼り付けられる面材と、前記枠体の角部の内側に固定される補強金物と、を含み、前記補強金物は、厚肉の板材からなる第一の金物と、薄肉の板材からなる第二の金物と、を含み、前記第一の金物は、前記横材を介して構造体に連結される第一の固定部と、この第一の固定部から屈曲して前記面材と平行に立ち上がる第一の接続部と、が一体的に形成されてなり、前記第二の金物は、前記第一の固定部の端部に接合固定されるとともに前記縦材に固定される第二の固定部と、この第二の固定部から屈曲して前記面材と平行に立ち上がり前記第一の接続部と重ねられて接合固定される第二の接続部と、が一体的に形成されてなることを特徴とする。
【０００７】
請求項１記載の発明によれば、壁パネルを形成する枠体の角部の内側に補強金物が取り付けられることから、粘りがあって壊れにくい壁パネルを得ることができる。
【０００８】
つまり、補強金物を形成する第一の金物が、横材を介して構造体に連結される第一の固定部を有することから、横材における構造体との連結部が補強される。特に、第一の金物は厚肉の板材からなることから、面に交差する方向の曲げ強度が高く、変形・破損しにくい。そのため、横材が確実に補強される。
【０００９】
また、第一の金物とともに補強金物を形成する第二の金物が、第一の固定部の端部に固定されるとともに縦材に固定される第二の固定部を有することから、縦材と横材との接合部が補強され、破損しにくくなる。特に、第二の金物は薄肉の板材からなるため、面に平行な方向の引っ張り強度が高く、かつ、自己の変形を許容しやすい。したがって、第二の固定部は、容易に縦材及び第一の固定部から分離せず、縦材と横材との接合部の破損が防止される。
【００１０】
そして、第一及び第二の金物は、それぞれ、第一又は第二の固定部から屈曲して壁パネルの面材と平行に立ち上がる第一又は第二の接続部を有し、この接続部同士を重ねて接合固定されることから、両金物を確実に固定することが簡単となる。また、互いに接合固定された第一及び第二の接続部によって、第一の固定部と第二の固定部との接合部が補強され、変形・破損しにくくなる。特に、第一の接続部及び第一の固定部と、第二の接続部及び第二の固定部とは、それぞれ一体的に形成されることから、屈曲位置で破損しにくい。
【００１１】
したがって、このような構成を有する補強金物が枠体の角部の内側に取り付けられることにより、面材の耐力の限界を超える荷重が加えられた場合でも、急激に破壊されない壁パネルを得ることができる。
【００１２】
請求項２記載の発明は、請求項１記載の壁パネルにおいて、前記第一及び第二の固定部は、前記枠体の厚みよりも狭い幅で形成されることを特徴とする。
【００１３】
請求項２記載の発明によれば、第一及び第二の固定部が枠体の厚みよりも狭い幅で形成されることから、壁パネルの形成時に補強金物が邪魔になることが防止される。つまり、通常、面材は枠体に接着固定されることから、面材を確実に接着するため、面材と枠体とがプレスされる。このとき、圧力によって枠体が厚み方向に圧縮されるが、各固定部の幅が枠体の元の厚みよりも狭ければ、加圧時に固定部と面材が衝突せず、歪み等のない壁パネルを得ることができる。
【００１４】
したがって、第一及び第二の固定部の具体的な幅は、加圧時における枠体の圧縮率を考慮して決定される。
【００１５】
請求項３記載の発明は、請求項１又は請求項２記載の壁パネルにおいて、前記第一又は第二の接続部は、前記面材に接着固定されることを特徴とする。
【００１６】
請求項３記載の発明によれば、第一又は第二の接続部が面材に接着固定されることから、面材が補強金物によって補強される。このため、面材が急激に壊れにくく、一層粘りのある壁パネルを得ることができる。
【００１７】
請求項４記載の発明は、縦材と横材とが矩形に組まれた枠体と、この枠体の少なくとも一方のパネル面に貼り付けられる面材と、前記枠体の角部の内側に固定される補強金物と、を含む壁パネルが、アンカーボルトによって基礎に連結されてなる耐力壁であって、前記補強金物は、厚肉の板材からなる第一の金物と、薄肉の板材からなる第二の金物と、を含み、前記第一の金物は、前記アンカーボルトが貫通して前記横材を介して前記基礎に連結される第一の固定部と、この第一の固定部から屈曲して前記面材と平行に立ち上がる第一の接続部と、が一体的に形成されてなり、前記第二の金物は、前記第一の固定部の端部に接合されるとともに前記縦材に固定される第二の固定部と、この第二の固定部から屈曲して前記面材と平行に立ち上がり前記第一の接続部と重ねられて接合される第二の接続部と、が一体的に形成されてなることを特徴とする。
【００１８】
請求項４記載の発明によれば、補強金物によって横材及び縦材と横材との接合部が補強された壁パネルをアンカーボルトで基礎に連結して耐力壁が形成されることから、粘りがあって壊れにくい耐力壁を実現することができる。
【００１９】
つまり、補強金物を形成する第一の金物の第一の固定部が、この固定部を貫通するアンカーボルトによって、横材を介して基礎に連結されることから、横材における基礎との連結部分が補強される。特に、第一の金物は厚肉の板材からなることから、面に交差する方向の曲げ強度が高く、変形・破損しにくい。そのため、横材が確実に補強される。
【００２０】
また、第一の金物とともに補強金物を形成する第二の金物が、第一の固定部の端部に固定されるとともに縦材に固定される第二の固定部を有することから、縦材と横材との接合部が補強され、破損しにくくなる。特に、第二の金物は薄肉の板材からなるため、面に平行な方向の引っ張り強度が高く、かつ、自己の変形を許容しやすい。したがって、第二の固定部は、容易に縦材及び第一の固定部から分離せず、縦材と横材との接合部の破損が防止される。
【００２１】
そして、第一及び第二の金物は、それぞれ、第一又は第二の固定部から屈曲して壁パネルの面材と平行に立ち上がる第一又は第二の接続部を有し、この接続部同士を重ねて接合固定されることから、両金物を確実に固定することが簡単となる。また、互いに接合固定された第一及び第二の接続部によって、第一の固定部と第二の固定部との接合部が補強され、変形・破損しにくくなる。特に、第一の接続部及び第一の固定部と、第二の接続部及び第二の固定部とは、それぞれ一体的に形成されることから、屈曲位置で破損しにくい。
【００２２】
したがって、このような構成を有する補強金物が枠体の角部の内側に取り付けられることにより、面材の耐力の限界を超える荷重が加えられた場合でも、急激に破壊されない壁パネルが得られ、この壁パネルをアンカーボルトで基礎に固定することにより、急激に壊れにくい耐力壁を得ることができる。
【００２３】
請求項５記載の発明は、請求項４記載の耐力壁において、前記第一又は第二の接続部は、前記面材に接着固定されることを特徴とする。
【００２４】
請求項５記載の発明によれば、第一又は第二の接続部が面材に接着固定されることから、面材が補強金物によって補強される。このため、面材が急激に壊れにくく、より一層粘りのある耐力壁を得ることができる。
【００２５】
【発明の実施の形態】
次に、本発明の実施の形態を図面を参照して詳細に説明する。
【００２６】
図１は、本発明の実施形態を示す一部拡大斜視図である。
【００２７】
同図において、壁パネル１０は、縦材１４と横材１６とを矩形に組んだ枠体１２と、この枠体１２の両パネル面に接着される面材１８と、この枠体１２の角部の内側に取り付けられる補強金物２０と、を有する。
【００２８】
なお、同図において、一方の面材１８は省略して描いてある。また、縦材１４及び横材１６は集成材からなり、面材１８は合板で形成される。
【００２９】
補強金物２０は、略Ｌ字状の断面形状をなす板材からなる２つの金物２２，２８を組み合わせて形成される。また、補強金物２０は、枠体１２の内側に納まる大きさに形成される。特に枠体１２の厚み方向の寸法については、面材１８貼付作業時の枠体１２の圧縮率を考慮し、少なくとも圧縮長さを除いた分だけ小さく形成される。
【００３０】
より詳しくは、第一の金物２２は、縦１２５ｍｍ、横１５０ｍｍ、厚さ６ｍｍの金属板からなり、この金属板を横方向の中央で直角に屈曲させて形成される。この屈曲位置を挟んで片側が第一の固定部２４、反対側が第一の接続部２６となる。このとき、第一の固定部２４の中央部には、アンカーボルト４２を挿入可能な孔２４ａが、間隔をおいて２つ形成される。これにより、固定部２４をアンカーボルト４２で基礎４０に連結することが可能となる。なお、孔２４ａが複数あることから、必要に応じてアンカーボルト４２の取付位置をずらすことができる。
【００３１】
一方、第二の金物２８は、縦の長さの最大値２５０ｍｍ、最小値７５ｍｍ、横の長さの最大値２０５ｍｍ、最小値７５ｍｍ、厚さ１．６ｍｍの異形金属板を直角に屈曲させて形成される。そして、屈曲位置を境に片側が第二の固定部３０，反対側が第二の接続部３２となる。なお、異形金属板を屈曲させる際、第二の固定部３０が、縦２５０ｍｍ、横幅７５ｍｍの矩形をなすようにする。また、第二の固定部３０には、図示しない釘等の固定金物を挿入可能な固着孔３４が８つ設けられる。このため、固定金物を用いて第二の固定部３０を縦材１４に固定することが可能となる。なお、孔３４は、千鳥状に配置してもよい。
【００３２】
そして、第一の金物２２の側端面２２ｂが第二の金物２８の第二の固定部３０に溶接され、併せて、第一の接続部２６の裏面が第二の接続部３２の表面に溶接されて、補強金物２０が形成される。
【００３３】
このような補強金物２０は、枠体１２の角部の内側に合わせて設置され、第二の金物２８が、図示しない接着剤で縦材１４及び面材１８に固定される。確実に接着できる限り、接着剤の種類は特に問わない。また、第二の固定部３０については、さらに、固着孔３４から固定金物を縦材１４に打ち込んで、強固に固定される。
【００３４】
本実施形態では、アンカーボルト４２で固定される下側の２つの角部に補強金物２０が取り付けられるものとする。
【００３５】
また、枠体１２の下側の横材１６には、第一の固定部２２の孔２４ａに連通する貫通孔１６ａが形成される。第一の固定部２２が横材１６に接着されないことから、横材１６印貫通孔１６ａを予め形成しておいても、面材１８貼付の際の加圧によって、貫通孔１６ａと孔２４ａとがずれることがない。
【００３６】
このような構成を有する壁パネル１０は、横材１６の貫通孔１６ａ及びこれに連通する第一の固定部の孔２４ａに、基礎４０から突出するアンカーボルト４２を挿入し、図示しないナットで固定して、基礎４０に緊結される。これにより、壁パネル１０を用いた耐力壁が形成される。
【００３７】
本実施形態は、このように構成される。これにより、次のような作用・効果が生ずる。
【００３８】
まず、枠体１２の下側の２つの角部の内側に補強金物２０が取り付けられることから、縦材１４と横材１６の接合部が補強され、粘りがあって壊れにくい壁パネルが得られる。
【００３９】
つまり、補強金物２０を形成する第一の金物２２が、横材１６を介して基礎４０に連結される第一の固定部２４を有することから、横材１６における基礎４０との連結部が補強される。特に、第一の金物２２は厚肉の板材からなることから、面に交差する方向の曲げ強度が高く、変形・破損しにくい。そのため、横材１６が確実に補強される。
【００４０】
また、第二の金物２８が、第一の固定部２４の端部に固定されるとともに縦材１４に固定される第二の固定部３０を有することから、縦材１４と横材１６との接合部が補強され、破損しにくくなる。特に、第二の金物２８は薄肉の板材からなるため、面に平行な方向の引っ張り強度が高く、かつ、自己の変形を許容しやすい。したがって、第二の固定部３０は、容易に縦材１４及び第一の固定部２４から分離せず、縦材１４と横材１６との接合部の破損が防止される。
【００４１】
そして、第一の金物２２の第一の接続部２６が、第二の金物２８の接続部３２に重ねて接合固定されることから、第一及び第二の金物２２，２８が簡単かつ確実に固定される。また、互いに接合固定された第一及び第二の接続部２６，３２によって、第一及び第二の固定部２４，３０の接合部が補強され、変形・破損しにくくなる。特に、第一の接続部２６及び第一の固定部２４と、第二の接続部３２及び第二の固定部３０とは、それぞれ一体的に形成されることから、屈曲位置で破損しにくい。
【００４２】
さらに、第二の金物２８が縦材１４及び面材１８に接着固定されることから、面材１８と縦材との接合部が補強されるとともに、面材１８自体も補強される。そのため、面材１８の耐力が向上し、一層壊れにくい壁パネル１０が得られる。
【００４３】
また、このような壁パネル１０が、横材１６の貫通孔１６ａ及び第一の固定部２４の孔２４ａから挿入されるアンカーボルト４２で基礎４０に緊結されることから、横材１６と縦材１４との接合部及び面材１８のみならず、横材１６そのものが急激に壊れにくい。このため、粘りがあって壊れにくい耐力壁が簡単に形成される。
【００４４】
なお、本発明の実施の形態は、上述の例に限られるものではなく、発明の範囲内において種々変更することができる。
【００４５】
例えば、補強金物の全体の寸法を、枠体の角部の内側に取り付け可能な範囲において任意に変更したり、第一の金物及び第二の金物の厚みを等しくしたりすることができる。また、第二の金物を面材にのみ接着したり、逆に面材への固定を省略したりすることもできる。さらに、補強金物を、枠体の４つの角部全ての内側に取り付けたり、一部のみに取り付けたりすることもできる。あるいは、基礎の代わりに、床パネルや他の壁パネル等の構造体に、胴差しボルト等の固定手段を用いて連結固定して、耐力壁を形成しても良い。
【００４６】
【発明の効果】
以上説明したように、請求項１記載の発明によれば、壁パネルを形成する枠体の角部の内側に補強金物が取り付けられることから、粘りがあって壊れにくい壁パネルを得ることができる。
【００４７】
請求項２記載の発明によれば、第一及び第二の固定部が枠体の厚みよりも狭い幅で形成されることから、壁パネルの形成時に補強金物が邪魔になることが防止される。
【００４８】
請求項３記載の発明によれば、第一又は第二の接続部が面材に接着固定されることから、面材が補強金物によって補強される。このため、面材が急激に壊れにくく、一層粘りのある壁パネルを得ることができる。
【００４９】
請求項４記載の発明によれば、補強金物によって横材及び縦材と横材との接合部が補強された壁パネルをアンカーボルトで基礎に連結して耐力壁が形成されることから、粘りがあって壊れにくい耐力壁を実現することができる。
【００５０】
請求項５記載の発明によれば、第一又は第二の接続部が面材に接着固定されることから、面材が補強金物によって補強される。このため、面材が急激に壊れにくく、より一層粘りのある耐力壁を得ることができる。
【図面の簡単な説明】
【図１】本発明の実施形態を示す一部拡大斜視図である。
【符号の説明】
１０  壁パネル
１２  枠体
１４  縦材
１６  横材
１８  面材
２０  補強金物
２２  第一の金物
２４  第一の固定部
２６  第一の接続部
２８  第二の金物
３０  第二の固定部
３２  第二の接続部
４０  基礎（構造体）
４２  アンカーボルト
【図１】
0003856537.tif 000002